(57)【特許請求の範囲】
【請求項１】
針幹の先端のフックをべらで開閉するべら針が編針として並設される針床を、歯口を挟んで対向するように備え、編針を選択的に案内して駆動するカム機構を搭載して往復走行する駆動するキャリッジを各針床に有し、カム機構による案内で、一方の針床の編針を渡し側としてフック内に係止して目移しの対象となる目移しループを、フック内から針幹の肩の位置に移動させてから、他方の針床から歯口に進出させる受け側の編針のフック内に移動させて目移しを行うことが可能な横編機において、
カム機構は、渡し側の編針を、該渡し側の編針の肩の位置に移動している目移しループ内への受け側の編針のフックの進入開始時に、進入後に該フックを閉じているべらを目移しループの上端で開き始めるべら開き開始時よりも、歯口に大きく進出させる、
ことを特徴とする横編機。
【請求項２】
針幹の先端のフックをべらで開閉するべら針が編針として並設される針床を、歯口を挟んで対向するように備え、一方の針床の編針を渡し側としてフック内に係止して目移しの対象となる目移しループを、フック内から針幹の肩の位置に移動させてから、他方の針床から歯口に進出させる受け側の編針のフック内に移動させる横編機での目移し方法において、
受け側の編針のフックを、渡し側の編針の肩の位置に移動している目移しループ内に進入開始させる際には、該フックの前端の底部側が目移しループに連なる旧ループの上端に接触して、該フックが起き上がっても、目移しループの上端が該フックの底部側ではなく頂部側に回るように、渡し側の編針を歯口に進出させておく進出量を、
受け側の編針が目移しループ内に進入した後で、受け側の編針のフックを閉じているべらを目移しループの上端で開く際に、渡し側の編針を歯口に進出させておく進出量よりも大きくしておく、
ことを特徴とする横編機での目移し方法。
【請求項３】
針幹の先端のフックをべらで開閉するべら針が編針として並設される針床を、歯口を挟んで対向するように備える横編機で、各針床に沿って往復走行するキャリッジに搭載され、編針を選択的に駆動して、一方の針床の編針を渡し側としてフック内に係止して目移しの対象となる目移しループを、フック内から針幹の肩の位置に移動させてから、他方の針床から歯口に進出させる受け側の編針のフック内に移動させて目移しを行うように、予め形成される経路に従って編針を選択的に案内することが可能なカム機構において、
渡し側の編針を案内する経路は、
受け側の編針のフックを、渡し側の編針の肩の位置に移動している目移しループ内に進入開始させる際には、該フックの前端の底部側が目移しループに連なる旧ループの上端に接触して、該フックが起き上がっても、目移しループの上端が該フックの底部側ではなく頂部側にまわるように、渡し側の編針を歯口に進出さておく進出量を、
受け側の編針が目移しループ内に進入した後で、受け側の編針のフックを閉じているべらを、目移しループの上端で開く際に、渡し側の編針を歯口に進出させておく進出量よりも大きくしておく、
二段の進出案内部を含むことを特徴とする横編機のカム機構。
【発明の詳細な説明】
【技術分野】
【０００１】
本発明は、編針としてべら針を用い、編地を編成する針床間での目移しも可能な横編機およびその目移し方法ならびにそのカム機構に関する。
【背景技術】
【０００２】
従来から、横編機では、対向する針床間の歯口に、各針床から編針を進退させて編目ループを形成するとともに、必要に応じて針床間で編目ループを移動させる目移しを行って、編地を編成している。編針は、針幹の先端に形成されるフックで、歯口に供給される編糸を捕捉して針床に引込み、編目ループを形成する。フック内に編目ループを係止している状態で編針を歯口に進出させると、係止されている編目ループは、針幹の先端のフックから離脱して針幹の中間部分に移動する。基本的な編目形成動作であるニットでは、歯口でフックに編糸を捕捉して、針床に引込んで新たな編目ループを形成する際に、針幹の中間部分に移動していた編目ループは、フックをノックオーバして離脱し、新たな編目ループに連なる旧ループとなる。代表的な編針であるべら針では、ノックオーバで旧ループが形成される際に、フックを閉じるべらを備えている。
【０００３】
図１（ａ）は、対向する針床の一方を渡し側として目移しを行う方法を、渡し側編針１を基準して部分的に示す。渡し側編針１は、先端に頂部側が鈎状に曲って開口するフック２を有し、フック２をべら３で開閉する。フック２が先端に形成される針幹４の中間部分には、肩４ａと呼ばれる段差が形成され、針幹４の一側面には、羽根５が設けられる。羽根５は、先端５ａと針幹４の側面との間が閉じており、中間部分は針幹４の側面との間に隙間を有する。肩４ａには、目移しループ６の上端６ａが掛る。目移しループ６の下端６ｂは、針幹４の底面側に掛り、旧ループ７の上端７ａが連なる。目移しループ６の上端６ａと下端６ｂとの間は、羽根５の外側と針幹４の他側面とを通る。
【０００４】
目移しループ６は、渡し側編針１を、針床間の歯口８に進出させることで、フック２内から肩４ａの位置に移動する。なお、横編機では、歯口８を挟んで対向する針床は、歯口８から離れると下降するように傾斜しているけれども、渡し側編針１は水平に進退するようにして示し、横編機での歯口８の鉛直下方８ａを傾斜させて示す。
【０００５】
目移しは、直線状経路９に沿って相対的に接近するように、受け側編針１１を歯口８に進出させ、フック１２を、目移しループ６が掛っている羽根５の隙間内に進入させて行う。受け側編針１１のフック１２は、通常、べら１３で閉じている。受け側編針１１が羽根５の隙間内に進入する際には、目移しループ６の上端６ａでべら１３を開く必要がある。このため、渡し側編針１は、受け側編針１１が軌道９に沿って歯口８に進出するときに、目移しループ６の上端６ａがフック１２の鈎状部とべら１３の先端との間を通る位置で停止している。受け側編針１１のフック１２が目移しループ６内への進入を開始する状態を実線、目移しループ６の上端６ａがフック１２の鈎状部とべら１３の先端との間に位置するように進出する状態と、進出の途中の状態とを、破線でそれぞれ示す。
【０００６】
図２（ａ）は、図１（ａ）の渡し側編針１を駆動するトランスファカム２０の概略的な構成を示す（たとえば、特許文献１参照）。トランスファカム２０は、渡し側編針１が並設される針床に沿って走行するキャリッジに搭載され、トランスファガイドカム２１と渡し受け両用トランスファカム２２とを含む。トランスファガイドカム２１と渡し受け両用トランスファカム２２との間には、渡し側案内溝２３が形成される。キャリッジは針床に対して往復走行するので、トランスファカム２０は、中心線２０ａに関して線対称となる形状を有する。
【０００７】
トランスファカム２０が針床に設けられる編針に対して、左方に走行する場合を想定する。図１（ａ）に示す目移しの動作部分での渡し側編針１は、渡し側案内溝２３内で駆動用のバットが位置２３ａから位置２３ｂまで案内される区間に対応する。この区間で、渡し側編針１は歯口８に対する進出位置を少し変えるけれども、大略的にはほぼ水平に移行する。したがって、図１（ａ）では渡し側編針１を静止させて示し、受け側編針１１を相対的に接近させて示す。渡し受け両用トランスファカム２２の下側は、受け側案内部２４として機能し、受け側編針１１の歯口８への進出を案内する。渡し側案内溝２３の位置２３ａから位置２３ｂまでの区間は、歯口８を挟んで対向する針床を走行するキャリッジに搭載されるトランスファカム２０の受け側案内部２４の編針上昇用の傾斜部分に対応し、受け側編針１１は歯口８で進出を続ける。
【０００８】
渡し側編針１は、渡し側案内溝２３に、中心線２０ａを挟んで両側に設けられる山の部分を通るので、山−谷−山となる二山状の経路を昇降して歯口８に進退する。受け側編針１１は、受け側案内部２４のうち、中心線２０ａの一方側で、渡し側案内溝２３の後側となる一山に対応する区間のみで案内される。したがって、渡し側編針１は、前側の一山では、目移しを行わずに歯口８に対して進退する。この進退で、目移しループ６を緩めることができる。
【特許文献１】特公平２−１０２６２号公報
【発明の開示】
【発明が解決しようとする課題】
【０００９】
従来からの目移しでは、図１（ａ）の渡し側編針１が図２（ａ）の渡し側案内溝２３の二山目を上昇して山の頂きの平坦部にさしかかると、受け側編針１１のフック１２が羽根５内に進入する。この進入の際に、渡し側編針１の底面側に位置する旧ループ７の上端７ａ、および渡し側編針１の肩部４ａで係止する目移しループ６の上端６ａと、受け側編針１１のフック１２とが接触する。接触後、渡し側編針１は上昇しないで、受け側編針１１は直線状経路９に沿ってさらに上昇し、閉じたべら１３の先端部と渡し側編針１の肩部４ａで係止する目移しループ６の上端６ａが接触する。さらに受け側編針１１が上昇すると、べら１３が開かれ、フック１２内に目移しループ６の上端６ａが捕捉される。以後、渡し側編針１および受け側編針１１は歯口から後退するように下降して、目移しを完了する。
【００１０】
目移しの動作では、受け側編針１１のフック１２の頂部とフック１２を閉じているべら１３の先端との間に目移しループ６の上端６ａを入れることと、このタイミングに先行して、フック１２の先端が目移しループ６の上端６ａに接触する際に、上端６ａがフック１２の底部側ではなく、頂部のべら１３側に回るようにすることが重要となる。フック１２の先端が目移しループ６の上端６ａに接触する前に、渡し側編針１の底面側にある旧ループ７の上端７ａの方がフック１２の底部と先に接触することもある。この接触で、旧ループ７に押されてフック１２が起き上がると、フック１２の先端が目移しループ６の上端６ａに接触する位置が底部側となって、上端６ａがフック１２の底部側に回るおそれがある。
【００１１】
閉じたべら１３の先端部と目移しループ６の上端６ａとの接触は、べら１３を目移しループ６で開くように行う必要がある。受け側編針１１と目移しループ６との位置関係が悪くなると、べら１３の先端で目移しループ６の上端６ａを突刺してしまったり、目移しループ６がフック１２の底部側に回ってしまったりして、目移し不良となる。このような目移し不良は、度詰めなど、度目値を小さくして形成した編目ループの目移し時に発生する可能性がある。通常の度目値で形成される目移しループ６では、むしろ受け側編針１１が旧ループ７を押して目移しループ６を拡げ、目移しループ６内に進入することができるので、目移し性能に問題は生じない。
【００１２】
度詰めした編目ループから目移しループ６に移行すると、周長が短いために、渡し側編針１の肩部４ａでの係止時に緩む余裕が無く、窮屈な状態となる。したがって、受け側編針１１のフック１２が旧ループ７の上端７ａと接触すると、旧ループ７に押されて受け側編針１１が起き上がり、目移しループ６内への進入も窮屈となる。このため、糸切れや、目移しループ６がフック１２の底側に回ってしまう問題などが発生する。
【００１３】
本発明の目的は、度目値が小さい編目ループでも確実に目移し可能な横編機およびその目移し方法ならびにそのカム機構を提供することである。
【課題を解決するための手段】
【００１４】
本発明は、針幹の先端のフックをべらで開閉するべら針が編針として並設される針床を、歯口を挟んで対向するように備え、編針を選択的に案内して駆動するカム機構を搭載して往復走行する駆動するキャリッジを各針床に有し、カム機構による案内で、一方の針床の編針を渡し側としてフック内に係止して目移しの対象となる目移しループを、フック内から針幹の肩の位置に移動させてから、他方の針床から歯口に進出させる受け側の編針のフック内に移動させて目移しを行うことが可能な横編機において、
カム機構は、渡し側の編針を、該渡し側の編針の肩の位置に移動している目移しループ内への受け側の編針のフックの進入開始時に、進入後に該フックを閉じているべらを目移しループの上端で開き始めるべら開き開始時よりも、歯口に大きく進出させる、
ことを特徴とする横編機である。
【００１５】
さらに本発明は、針幹の先端のフックをべらで開閉するべら針が編針として並設される針床を、歯口を挟んで対向するように備え、一方の針床の編針のフック内に係止して目移しの対象となる目移しループを、フック内から針幹の肩の位置に移動させてから、他方の針床から歯口に進出させる受け側の編針のフック内に移動させる横編機での目移し方法において、
受け側の編針のフックを、渡し側の編針の肩の位置に移動している目移しループ内に進入開始させる際には、該フックの前端の底部側が目移しループに連なる旧ループの上端に接触して、該フックが起き上がっても、目移しループの上端が該フックの底部側ではなく頂部側に回るように、渡し側の編針を歯口に進出させておく進出量を、
受け側の編針が目移しループ内に進入した後で、受け側の編針のフックを閉じているべらを目移しループの上端で開く際に、渡し側の編針を歯口に進出させておく進出量よりも大きくしておく、
ことを特徴とする横編機での目移し方法である。
【００１６】
さらに本発明は、針幹の先端のフックをべらで開閉するべら針が編針として並設される針床を、歯口を挟んで対向するように備える横編機で、各針床に沿って往復走行するキャリッジに搭載され、編針を選択的に駆動して、一方の針床の編針のフック内に係止して目移しの対象となる目移しループを、フック内から針幹の肩の位置に移動させてから、他方の針床から歯口に進出させる受け側の編針のフック内に移動させて目移しを行うように、予め形成される経路に従って編針を選択的に案内することが可能なカム機構において、
一方の針床の編針を渡し側としてフック内に係止して目移しの対象となる目移しループを、フック内から針幹の肩の位置に移動させてから、他方の針床から歯口に進出させる受け側の編針のフック内に移動させて目移しを行うように、予め形成される経路に従って編針を選択的に案内することが可能なカム機構において、
渡し側の編針を案内する経路は、
受け側の編針のフックを、渡し側の編針の肩の位置に移動している目移しループ内に進入開始させる際には、該フックの前端の底部側が目移しループに連なる旧ループの上端に接触して、該フックが起き上がっても、目移しループの上端が該フックの底部側ではなく頂部側にまわるように、渡し側の編針を歯口に進出さておく進出量を、
受け側の編針が目移しループ内に進入した後で、受け側の編針のフックを閉じているべらを、目移しループの上端で開く際に、渡し側の編針を歯口に進出させておく進出量よりも大きくしておく、
二段の進出案内部を含むことを特徴とする横編機のカム機構である。
【発明の効果】
【００１７】
本発明によれば、横編機のキャリッジに搭載されるカム機構で、渡し側の編針の歯口への進出量を変えながら目移しを行う。進出量は、歯口に進出させる受け側の編針のフックが目移しループ内に進入開始する際の方が、目移しループ内に進入後にフックを閉じているべらを目移しループの上端で開く際よりも、大きくなるようにする。目移しループの上端がフックの先端からべら側に確実にまわるようになるので、度目値が小さい編目ループの目移しでも、受け側の編針のフックを渡し側の編針の目移しループ内に確実に進入させることができる。また、受け側の編針が目移しループ内に進入開始した後では、渡し側の編針の歯口への進出量が目移しループへの進入時よりも小さくなる。進出量を大きくしないことによって、受け側の編針のフックを閉じているべらの先端部で目移しループの上端を割るようなことはなく、目移しループを受け側編針のフック内に確実に捕捉して安定な目移しを行うことができる。
【００１８】
さらに本発明によれば、渡し側の編針の歯口への進出量を大きくしておいて、横編機での目移しで、度目値が小さい編目ループに対しても、受け側の編針のフックを渡し側の編針の目移しループ内に確実に進入させることができる。また、目移しループ内に進入した後で、受け側の編針のフックを閉じているべらを目移しループの上端で開く際には、渡し側の編針の歯口への進出量を大きくしないので、目移しループを受け側編針のフック内に確実に捕捉して目移しを行うことができる。
【００１９】
さらに本発明によれば、横編機のキャリッジに搭載されるカム機構に二段の進出案内部を含む経路を設けるので、度目値の小さい編目ループでも確実に目移しを行うことができる。
【発明を実施するための最良の形態】
【００２０】
図１および図２は、各図の（ｂ）で、本発明の実施の一形態について、各図の（ａ）で説明した従来技術と対比して示す。従来技術については、背景技術および発明が解決しようとする課題の欄で既に説明しているので、実施形態についても、対応する部分には同一の参照符を付し、重複する説明は省略する。
【００２１】
図１（ｂ）は、本発明の実施の一形態による目移し方法の部分的な動作を示す。本実施形態では、渡し側編針１の肩４ａに係止する目移しループ６に対して、相対的に、受け側編針１１のフック１２を進入させる際に、図１（ａ）に示す直線状経路９ではなく、屈曲経路１９を通るように、受け側編針１１を歯口８に進出させる。屈曲経路１９は、前部１９ａと後部１９ｂとに分れて屈曲する形状を有する。前部１９ａでは、受け側の編針１１のフック１２を、渡し側編針１の肩４ａの位置に移動している目移しループ６内に進入開始させる。前部１９ａは、フック１２の前端の底部側が目移しループ６に連なる旧ループ７の上端７ａに接触するように、図１（ａ）の直線状経路９よりも旧ループ７側に接近させる。このために、渡し側編針１は歯口８への進出量が図１（ａ）よりも大きくなる。後部１９ｂは、渡し側編針１の歯口８への進出量が図１（ａ）と同程度となるように、歯口８から後退させながら受け側編針１１を歯口８に進出させ、直線状経路９とほぼ同様に目移しループ６の上端６ａにべら１３の先端を接近させる。前部１９ａを経ることによって、目移しループ６の度目値が小さく、周長が短くても、フック１２を確実に進入させることができる。
【００２２】
図２（ｂ）は、図１（ｂ）の屈曲経路１９を実現する渡し側編針１の部分的な動作に対応するトランスファカム２５の構成を簡略化して示す。図２（ｃ）では、図２（ｂ）の特徴部分を図２（ａ）と対比して示す。
【００２３】
トランスファカム２５は、渡し側編針１が並設される針床に沿って走行するキャリッジに搭載され、トランスファガイドカム２６と渡し受け両用トランスファカム２７とを含む。トランスファガイドカム２６と渡し受け両用トランスファカム２７との間には、渡し側案内溝２８が形成される。キャリッジは針床に対して往復走行するので、トランスファカム２５は、中心線２５ａに関して線対称となる形状を有する。
【００２４】
図２（ｃ）は、渡し側案内溝２８を形成するトランスファガイドカム２６と渡し受け両用トランスファカム２７との間に、渡し側編針１の歯口８への進出量を二段階で変える突起状経路２９が形成されていることを示す。突起状経路２９は、トランスファガイドカム２６の下縁の凹部２６ａと、渡し受け両用トランスファカム２７の上縁の凸部２７ａとの間に形成される。トランスファガイドカム２６の下縁は、二点鎖線で示す図２（ａ）のトランスファガイドカム２１の平坦な下縁に対して、ｄだけ上側に膨らむ形状を有する。渡し受け両用トランスファカム２７の上縁の凸部２７ａは、二点鎖線で示す図２（ａ）の渡し受け両用トランスファカム２７の上縁の平坦部に対してｄと同程度上側に膨らんでいる。たとえば、２４．５ｍｍあたり１２本の編針が配置される１２ゲージ用のトランスファカム２５で、トランスファガイドカム２６の下縁との間隔である渡し側案内溝２８の幅は、約３ｍｍ程度であり、膨らみｄは、約０．３ｍｍ程度である。
【００２５】
渡し側編針１は、バットが突起状経路２９の進出側傾斜２９ａに沿って上昇すると、フック２を歯口８で進出させ、図１（ｂ）では実線で示す受け側編針１１に対して、旧ループ７の上縁７ａをフック１２の上端の背面側に接触させる位置に待機させる。バットが突起状経路２９の後退側傾斜２９ｂに沿って下降すると、歯口８に進出を続ける受け側編針１１のべら１３の先端に、渡し側編針１の肩４ａで係止する目移しループ６の上端６ａを接近させることができる。
【００２６】
図３は、図１に示す目移しを行うことが可能な横編機３０の概略的な構成を、側方から見た断面として示す。渡し側編針１および受け側編針１１は、歯口８を挟んで対向する一対の針床３１にそれぞれ設けられる。各針床３１には、ニードルプレート３２が並設される。編針は、歯口８に進退するように摺動変位可能に、ニードルプレート３２間の針溝３３に収容される。各針床３１には、紙面に垂直な方向に往復走行するキャリッジが設けられる。ただし、キャリッジの図示は省略する。渡し側編針１や受け側編針１１となる各編針は、歯口８側の先端の針本体３４に、ニードルジャック３５、セレクトジャック３６およびセレクタ３７が組合わされている。歯口８には、針本体３４が進退するとともに、可動シンカ３８などのシンカも設けられる。
【００２７】
針本体３４を歯口８に進退させるために、ニードルジャック３５には間隔をあけて前バット３５ａおよび後バット３５ｂの二つのバットが設けられる。ニードルジャック３５で、歯口８から離れる尾端側は、ばね部３５ｃとなる。図２に示す渡し側案内溝２３，２８および受け側案内部２４では、前バット３５ａが案内される。後バット３５ｂは、セレクトジャック３６の押圧バット３６ａが押圧されると針溝３３内に沈む。押圧バット３６ａが押圧を受けないと、後バット３５ｂはばね部３５ｃによる付勢で、針溝３３から突出する。針溝３３から突出するバットは、キャリッジに搭載されるカム機構やプレッサの作用を受ける。各編針を、渡し側編針１や受け側編針１１として動作させるためには、セレクタ３７で選針する必要がある。
【００２８】
図４は、図３の針本体３４の主要部分の構成を示す。図４（ａ）は針本体３４の先端側を側方から示し、図４（ｂ）は図４（ａ）を底部側から示す。図４（ｃ）は、図４（ａ）の切断面線Ｃ−Ｃから見た断面を示し、図４（ｄ）は、図４（ａ）の切断面線Ｄ−Ｄから見た断面を拡大して示す。針本体３４の先端のフック２，１２は、頂部側で、鈎状に折返される先端と、針幹４との間で開いている。この開いている部分は、べら３，１３で開閉される。針幹４の肩４ａの側面の一方には、羽根５が設けられている。羽根５と針幹４の側面との間には隙間が設けられ、羽根５の先端５ａが針幹４の側面に弾性的に押圧されて、隙間を閉じている。隙間に臨む針幹４の底部側には傾斜面４ｂが設けられる。図４（ｄ）に示すように、フック２，１２の前端では、側面に切欠部４ｃが設けられる。切欠部４ｃは、受け側編針１１となる場合に、渡し側編針１の羽根５と針幹４の傾斜面４ｂとの間に円滑に進入することが可能なように設けられる。
【００２９】
図５は、図２（ｂ）のトランスファカム２５を含む渡し側カム５０での概略的な作用を示す。キャリッジに搭載されるカムシステムとしては、トランスファカム２５のトランスファガイドカム２６が図３の歯口８に接近して配置される。渡し受け両用トランスファカム２７よりも歯口８から遠ざかる側には、ニードルガイドカム５１、センターカム５２、ニードルレイジングカム５３、受け側トランスファカム５４およびスティッチカム５５が配置される。ニードルガイドカム５１およびセンターカム５２は、出没可能な可動のカムであり、渡し受け両用トランスファカム２７と連動する。図５では、ニードルガイドカム５１およびセンターカム５２はカムプレートに没入しており、渡し受け両用トランスファカム２７が突出して、目移し動作が可能になっている。ニードルガイドカム５１およびセンターカム５２を突出させ、渡し受け両用トランスファカム２７をカムプレートに没入させれば、編成用案内溝５９が形成され、編針にニット、タック、ミスなどの編成動作を行わせることができる。
【００３０】
ニードルレイジングカム５３は、側方に傾斜した案内部を有し、ニードルジャック３５の下バット３５ｂを上昇させて、針本体３４が歯口８側に進出させる方向に駆動することができる。ニードルレイジングカム５３の内部には、受け側トランスファカム５４が設けられている。ニードルレイジングカム５３の側方の傾斜した案内部に臨む位置には、スティッチカム５５が設けられ、ニードルジャック３５の下バット３５ｂを下降させて、針本体３４を歯口８から後退させることができる。
【００３１】
ニードルレイジングカム５３よりも、さらに歯口８から離れる側には、セレクトジャック３６の押圧バット３６ａに作用するＨプレッサ５６およびＢプレッサ５７が設けられる。Ｈプレッサ５６は、キャリッジが図の左方に走行する場合を想定して、先行プレッサ５６ａ、中間プレッサ５６ｂ、後行プレッサ５６ｃの三つに分れ、それぞれ独立に揺動変位可能である。図では、揺動変位で、破線で示す位置から実線で示す位置に、先行プレッサ５６ａ、中間プレッサ５６ｂおよび後行プレッサ５６ｃのすべてが退避している状態を示す。Ｂプレッサ５７は、固定である。
【００３２】
Ｂプレッサ５７が設けられる位置は、セレクトジャック３６の押圧バット３６ａの選択的な経路の一つとなり、Ｂポジションと呼ばれる。Ｈプレッサ５６の破線で示す位置は、押圧バット３６ａに対してＨポジションと呼ばれる経路の位置となる。押圧バット３６ａは、Ａポジションとして、プレッサが設けられていない経路の位置を選択することもできる。押圧バット３６ａに対する三つのポジションへの選択は、図示を省略している選針機構によって行われる。図のような渡し側カム５０では、ＡポジションまたはＨポジションの選針で、図１（ｂ）に示すような渡し側編針１としての動作を行わせることができる。
【００３３】
まず、ニードルジャック３５の下バット３５ｂがニードルレイジングカム５３の左側方の傾斜した案内部に沿って上昇する。さらに上バット３５ａが渡し受け両用トランスファカム２７の左側方の傾斜した案内部に沿って上昇し、トランスファガイドカム２６との間の渡し側案内溝２８に入る。渡し側案内溝２８の一山目では、図１（ｂ）に示す目移しループ６の緩めが、従来と同様に行われる。渡し側編針１としての動作は、上バット３５ａの位置を複数箇所で示している渡し側案内溝２８の二山目を中心として行われる。
【００３４】
図６は、図２（ｂ）のトランスファカム２５を含む受け側カム６０での概略的な作用を示す。受け側カム６０も、図５に示す渡し側カム５０と同一のカムを使用するけれども、図３に示す歯口８を挟んで対向しているので、上下を反転して示す。受け側編針１１として動作させるための選針は、Ｈポジションを選択する。Ｈプレッサ５６は、中間プレッサ５６ｂのみ退避させ、先行プレッサ５６ａおよび後行プレッサ５６ｃを押圧バット３６ａに作用させる。先行プレッサ５６ａを作用させることによって、ニードルジャック３５の下バット３５ｂは、左方のニードルレイジングカム５３を乗越え、受け用トランスファカム５４に入って、渡し側案内溝２８の二山目に対応して上昇するように案内される。受け側編針１１が歯口８に進出すると、ニードルジャック３５の上バット３５ａが渡し受け両用トランスファカム２７に設けられる受け側案内部２４によって歯口８から後退するように案内される。
【００３５】
図７および図８は、図１（ｂ）の目移し動作のために、渡し側編針１および受け側編針１１を案内する経路を、ニードルジャック３５の上バット３５ａおよび下バット３５ｂの軌跡として、それぞれ示す。図７では、上バット３５ａが渡し側案内溝２８内での案内を受ける際の軌跡を、案内位置２８ａ〜２８ｎの変化として示し、付随する下バット３５ｂの軌跡を、案内位置５８ａ〜５８ｎの変化として示す。また、図８では、上バット３５ａ、下バット３５ｂの軌跡を、案内位置２４ａ〜２４ｎ；５５ａ〜５５ｎの変化としてそれぞれ示す。
【００３６】
図９および図１０は、図７および図８の案内位置２８ａ〜２８ｎ；５５ａ〜５５ｎおよび案内位置２４ａ〜２４ｎ；５８ａ〜５８ｎに対応する渡し側編針１ａ〜１ｎおよび受け側編針１１ａ〜１１ｎの位置変化を、（ａ）〜（ｉ）に分けてそれぞれ示す。図１（ｂ）の実線は、図９（ｃ）に示す渡し側編針１ｄおよび受け側編針１１ｄに対応する。図１（ｂ）の破線は、図９（ｃ）に示す渡し側編針１ｆおよび受け側編針１１ｆと、図９（ｄ）に示す渡し側編針１ｇおよび受け側編針１１ｇとにそれぞれ対応する。図１と同様に、渡し側編針１１ａ〜１１ｎを固定して示すけれども、実際は渡し側編針１１ａ〜１１ｎも進退する。
【００３７】
図９（ａ）では、渡し側編針１ａ，１ｂは、渡し側案内溝２８の一山目の最後の部分に沿って歯口で後退し、受け側編針１１ａ，１１ｂは歯口への進出を開始する。受け側編針１１ａ，１１ｂのフック１２の前端は、渡し側編針１ａ，１ｂの針幹４の傾斜面４ｂに案内されて羽根５と針幹４の側面との間の隙間に導かれる。図９（ｂ）では、受け側編針１１ｃのフック１２の前端が渡し側編針１ｃの針幹４の側面と羽根５との隙間に進入する。
【００３８】
図９（ｃ）に示すように、本実施形態では、図２（ｃ）に示す突起状経路２９の膨らみで渡し側編針１ｄ，１ｅ，１ｆが歯口に進出しているので、受け側編針１１ｄ，１１ｅ，１１ｆは、フック１２の前端の底部側が旧ループ７の上端７ａに接触して、上端７ａを多少左へ押す。上端７ａとの接触で、受け側編針１１のフック１２が多少起きても、目移しループ６の上端６ａはフック１２の底部側にはまわらない。これによって、目移しループ６の度目値が小さいような場合でも、フック１２を確実に目移しループ６内に進入させることができる。図９（ｄ）に示すように、受け側編針１１ｇのべら１３の先端が目移しループ６の上端６ａに接触するまでに、渡し側編針１ｇは突起状経路２９による歯口での進出を解消する。これによって、図１（ａ）に示すような従来と同様な条件で、目移しループ６をフック１２内に捕捉することができる。
【００３９】
図１０（ｅ）は、受け側編針１１ｈ，１１ｉを進出させて、目移しループ６の上端６ａでべら１３を開き、目移しループ６をフック１２内に捕捉する動作を示す。図１０（ｆ）は、渡し側編針１ｊおよび受け側編針１１ｊがともに歯口から後退を開始している動作を示す。目移しループ６は、肩４ａの位置から離れる。図１０（ｇ）は、受け側編針１１ｋ，１１ｌのフック１２が渡し側編針１ｋ，１ｊの羽根５の先端５ａを開いて、離脱する動作を示す。図１０（ｈ）は、受け側編針１１ｍが渡し側編針１ｍの羽根５の先端５ａから離脱し、目移しループ６も羽根５から外す動作を示す。図１０（ｉ）は、受け側編針１１ｎで目移しループ６を渡し側編針１ｎのべら３の先端に接近させている動作を示す。さらに渡し側編針１と受け側編針１１とを歯口から後退させると、目移しループ６はべら３でフック２を閉じて、渡し側編針１をノックオーバして、受け側編針１１のフック１２内にのみ係止される状態となり、目移し動作が完了する。
【００４０】
以上のような目移し動作は、キャリッジに搭載するカム機構による案内ばかりではなく、編針を駆動する方式に応じて実現することができる。たとえば、各編針にアクチュエータを装備して個別に駆動するような場合でも、同様な動作で、確実な目移しを行うことができる。
【図面の簡単な説明】
【００４１】
【図１】本発明の実施の一形態による目移し方法の部分的な動作を、従来の目移し方法と対比して示す図である。
【図２】図１の目移し方法の渡し側編針１の部分的な動作に対応するトランスファカム２０，２５の構成を簡略化して示す図である。
【図３】図１に示す目移し方法を行うことが可能な横編機３０の概略的な構成を示す側面断面図である。
【図４】図３の針本体３４の主要部分についての構成を示す側面図、底面図および断面図である。
【図５】図２（ｂ）のトランスファカム２５を含む渡し側カム５０での概略的な作用を示すカム配置図である。
【図６】図２（ｂ）のトランスファカム２５を含む受け側カム６０での概略的な作用を示すカム配置図である。
【図７】図１（ｂ）の目移し動作のために、渡し側編針１を案内する経路を、ニードルジャック３５の上バット３５ａおよび下バット３５ｂの軌跡として、それぞれ示す図である。
【図８】図１（ｂ）の目移し動作のために、受け側編針１１を案内する経路を、ニードルジャック３５の上バット３５ａおよび下バット３５ｂの軌跡として、それぞれ示す図である。
【図９】図７および図８の案内に対応する渡し側編針１ａ〜１ｇおよび受け側編針１１ａ〜１１ｇの位置変化を、（ａ）〜（ｄ）に分けてそれぞれ示す図である。
【図１０】図７および図８の案内に対応する渡し側編針１ｈ〜１ｎおよび受け側編針１１ｈ〜１１ｎの位置変化を、（ｅ）〜（ｉ）に分けてそれぞれ示す図である。
【符号の説明】
【００４２】
１，１ａ〜１ｎ  渡し側編針
２，１２  フック
３，１３  べら
４  針幹
４ａ  肩
５  羽根
６  目移しループ
６ａ，７ａ  上端
６ｂ  下端
７  旧ループ
８  歯口
１１，１１ａ〜１１ｎ  受け側編針
１９  屈曲経路
２５  トランスファカム
２６  トランスファガイドカム
２７  渡し受け両用トランスファカム
２８  渡し側案内溝
２９  突起状経路
３０  横編機
３１  針床
３５  ニードルジャック
３５ａ  上バット
３５ｂ  下バット
５０  渡し側カム
６０  受け側カム
【図１】
0005010460.tif 000002
【図２】
0005010460.tif 000003
【図３】
0005010460.tif 000004
【図４】
0005010460.tif 000005
【図５】
0005010460.tif 000006
【図６】
0005010460.tif 000007
【図７】
0005010460.tif 000008
【図８】
0005010460.tif 000009
【図９】
0005010460.tif 000010
【図１０】
0005010460.tif 000011